(57)【要約】  【課題】  レーザ光源に対するフィードバック制御を従来より適切に行うことができる光ヘッド装置を提供する。  【解決手段】  光ヘッド装置は、光ディスクから情報を読み出すためのレーザ光を出射するレーザ光源と、レーザ光を透過および反射することによって分離するハーフミラーと、光ディスクに到達する前のレーザ光からハーフミラーによって分離されたレーザ光をレーザ光源のフィードバック制御のために正面から検出するモニタ用受光素子２３とを備え、モニタ用受光素子２３は、受光部と、受光部の直上部およびその周囲を保護する透光性の保護層２３ｂとを有し、光ヘッド装置は、光ディスクに到達する前のレーザ光からハーフミラーによって分離されたレーザ光を受光部に通すレーザ光用孔１１ｆが形成されてレーザ光用孔１１ｆ以外の部分でモニタ用受光素子２３の正面側を遮蔽する壁部１１ｅを有していることを特徴とする。【選択図】  図５
2009199693.tif 000002
【特許請求の範囲】
【請求項１】
光ディスクから情報を読み出すためのレーザ光を出射するレーザ光源と、前記レーザ光を透過および反射することによって分離するビームスプリッタと、前記光ディスクに到達する前の前記レーザ光から前記ビームスプリッタによって分離されたレーザ光を前記レーザ光源のフィードバック制御のために検出するフロントモニタとを備えた光ヘッド装置であって、
前記フロントモニタは、正面に配設された受光部と、前記受光部の直上部およびその周囲を保護する透光性の保護層とを有し、
前記光ヘッド装置は、前記光ディスクに到達する前の前記レーザ光から前記ビームスプリッタによって分離されたレーザ光を前記受光部に通すレーザ光用孔が形成されて前記レーザ光用孔以外の部分で前記保護層の正面側を遮蔽する遮蔽部材を有していることを特徴とする光ヘッド装置。
【請求項２】
前記光ディスクによって反射された前記レーザ光を検出する光検出器を有し、
前記遮蔽部材は、前記保護層の前記直上部を除く前記周囲を遮蔽する位置に配置され、前記光検出器によって反射されて前記ビームスプリッタによって透過または反射されたレーザ光を遮蔽することを特徴とする請求項１に記載の光ヘッド装置。
【請求項３】
前記光検出器は、前記光検出器によって反射されて前記ビームスプリッタによって透過または反射されたレーザ光の光軸が前記遮蔽部材によって遮蔽されるように傾けて配設されていることを特徴とする請求項２に記載の光ヘッド装置。
【請求項４】
前記保護層は、半透明であることを特徴とする請求項１から請求項３までの何れかに記載の光ヘッド装置。
【請求項５】
前記レーザ光源、前記ビームスプリッタおよび前記フロントモニタが配設された装置フレームを有し、
前記遮蔽部材は、前記装置フレームの一部として一体に形成されていることを特徴とする請求項１から請求項４までの何れかに記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置に関する。
【背景技術】
【０００２】
従来の光ヘッド装置として、光ディスクから情報を読み出すためのレーザ光を出射する半導体レーザと、半導体レーザのフィードバック制御のために半導体レーザから出射されたレーザ光を検出するフロントモニタと、光ディスクによって反射されたレーザ光を検出する光検出器とを備えるものが知られている（例えば、特許文献１、２参照。）。
【０００３】
なお、光検出器は、光ディスクによって反射されたレーザ光を最大に検出することができる状態に配置されている。
【特許文献１】特開２００７−２１３６４９号公報
【特許文献２】特開２００７−２２６８４８号公報
【発明の開示】
【発明が解決しようとする課題】
【０００４】
しかしながら、特許文献１のような光学設計の場合、特許文献２と同様に半導体レーザに対するフィードバック制御を行っているのに係わらず、制御が破綻するという不具合が頻繁に発生するという問題があった。そこで、本発明者は、その原因として光検出器の反射光がハーフミラーによって反射され、本来、ハーフミラーの透過によって分離されたレーザ光のみが入射されるはずのフロントモニタに入射してしまうので半導体レーザに対するフィードバック制御を適切に行うことができないことを突き止めた。さらに、受光部の直上部およびその周囲が保護層によって保護されたフロントモニタでは、光検出器の反射光が受光部の直上部を除いた保護層に入射しただけで、この入射光が保護層の内部を乱反射して受光部に到達するので、半導体レーザに対するフィードバック制御を適切に行うことができないことを突き止めた。
【０００５】
ここで、光検出器としてシリコンフォトディテクタが用いられている場合には、光検出器でのレーザ光の反射率は約２５％である。更に、光検出器に回路が組み込まれ、その回路内での光電効果の防止のためにＡｌコートが施されている場合には、Ａｌコートの部分でのレーザ光の反射率は約８０％である。
【０００６】
故に、従来の光ヘッド装置においては、光ディスクに到達する前のレーザ光からハーフミラーの透過によって分離されたレーザ光だけではなく、光ディスクからの戻り光が、光検出器によって反射された後、ハーフミラーによってフロントモニタ側に反射される。
【０００７】
このようにして、フロントモニタ側に反射された光ディスクからの戻り光は、受光部の直上部を除いた保護層であっても一旦入射することで保護層の内部を乱反射して受光部に到達するので、従来の光ヘッド装置では、半導体レーザに対するフィードバック制御を適切に行うことができないという問題があった。
【０００８】
また、問題の光が光ディスクからの戻り光であることから、光ディスクの有無によってフロントモニタでの検出値に影響が出たり、ＤＶＤ−ＲＯＭ、ＤＶＤ±Ｒ、ＤＶＤ±ＲＷ、ＤＶＤ−ＲＡＭ、ＣＤ、ＣＤ−Ｒ、ＣＤ−ＲＷなど、光ディスクの種類によってフロントモニタでの検出値に影響が出たりする。このことも含めて従来の光ヘッド装置では、半導体レーザに対するフィードバック制御を適切に行うことができないという問題があった。
【０００９】
本発明は、従来の問題を解決するためになされたもので、レーザ光源に対するフィードバック制御を従来より適切に行うことができる光ヘッド装置を提供することを目的とする。
【課題を解決するための手段】
【００１０】
本発明の光ヘッド装置は、光ディスクから情報を読み出すためのレーザ光を出射するレーザ光源と、前記レーザ光を透過および反射することによって分離するビームスプリッタと、前記光ディスクに到達する前の前記レーザ光から前記ビームスプリッタによって分離されたレーザ光を前記レーザ光源のフィードバック制御のために検出するフロントモニタとを備えた光ヘッド装置であって、前記フロントモニタは、正面に配設された受光部と、前記受光部の直上部およびその周囲を保護する透光性の保護層とを有し、前記光ヘッド装置は、前記光ディスクに到達する前の前記レーザ光から前記ビームスプリッタによって分離されたレーザ光を前記受光部に通すレーザ光用孔が形成されて前記レーザ光用孔以外の部分で前記保護層の正面側を遮蔽する遮蔽部材を有していることを特徴とする。
【００１１】
この構成により、保護層を経由して、受光部に入射する可能性がある不要な光を抑制することができるので、レーザ光源に対するフィードバック制御を従来より適切に行うことができる。受光部の直上部とは、光軸方向から見たときの受光部の総ての領域をいう。また周囲とは、直上部の周囲であってこの直上部を除く領域をいう。
【００１２】
また、本発明の光ヘッド装置は、前記光ディスクによって反射された前記レーザ光を検出する光検出器を有し、前記遮蔽部材は、前記保護層の前記直上部を除く前記周囲を遮蔽する位置に配置され、前記光検出器によって反射されて前記ビームスプリッタによって透過または反射されたレーザ光を遮蔽することを特徴とすることが好ましい。
【００１３】
この構成により、遮蔽部材は、保護層のうち受光部の直上部を除く周囲を遮蔽する位置に配置されているので、保護層を経由して、受光部に入射する可能性がある不要な光を確実に抑制することによって、レーザ光源に対するフィードバック制御をより適切に行うことができる。
【００１４】
また、本発明の光ヘッド装置の前記光検出器は、前記光検出器によって反射されて前記ビームスプリッタによって透過または反射されたレーザ光の光軸が前記遮蔽部材によって遮蔽されるように傾けて配設されていることを特徴とすることが好ましい。
【００１５】
また、本発明の光ヘッド装置の前記保護層は、半透明であることを特徴とすることが好ましい。
【００１６】
保護層が半透明である場合、保護層が透明である場合に比較して保護層に入射した不要な光の乱反射が増大する。故に、保護層を経由して、受光部に入射する不要な光が増大してしまう。しかしながら、本発明の光ヘッド装置は、遮蔽部材によって保護層を遮蔽するので、保護層に入射した不要な光が受光部に入射することを抑制することができる。従って、本発明によれば、保護層が半透明である光ヘッド装置においてより効果的である。
【００１７】
また、本発明の光ヘッド装置は、前記レーザ光源、前記ビームスプリッタおよび前記フロントモニタが配設された装置フレームを有し、前記遮蔽部材は、前記装置フレームの一部として一体に形成されていることを特徴とすることが好ましい。
【発明の効果】
【００１８】
本発明によれば、レーザ光源に対するフィードバック制御を従来より適切に行うことができる光ヘッド装置を提供することができる。
【発明を実施するための最良の形態】
【００１９】
以下、本発明の一実施の形態について、図面を用いて説明する。
【００２０】
まず、本実施の形態に係る光ヘッド装置の構成について説明する。
【００２１】
図１は、本実施の形態に係る光ヘッド装置１０の斜視図である。図２は、光ヘッド装置１０の分解斜視図である。図３は、光ヘッド装置１０の斜視図であって、一部の部品が取り除かれた状態での図である。
【００２２】
図１に示す光ヘッド装置１０は、波長が６５０ｎｍ帯のレーザ光と、波長が７８０ｎｍ帯のレーザ光とを用いてＣＤ系ディスクやＤＶＤ系ディスクなどの図示していない光記録ディスクに対する情報の再生や記録などが可能な２波長光ヘッド装置である。
【００２３】
図１〜図３に示すように、光ヘッド装置１０は、マグネシウムや亜鉛などのダイカスト品からなる金属製の装置フレーム１１と、装置フレーム１１に対して光記録ディスク側に配置されて装置フレーム１１上の各種の部品を覆う金属カバー１２および金属カバー１３と、波長が６５０ｎｍ帯のレーザ光を出射するＡｌＧａＩｎＰ系の半導体レーザを備えたレーザ光源としてのレーザ光源装置２１と、波長が７８０ｎｍ帯のレーザ光を出射するＡｌＧａＡｓ系の半導体レーザを備えたレーザ光源としてのレーザ光源装置２２と、レーザ光源装置２１およびレーザ光源装置２２によって出射されたレーザ光を受光するためのモニタ用受光素子２３と、光記録ディスクの記録面で反射されたレーザ光を受光するための光検出器としての信号検出用受光素子２４と、レーザ光源装置２１およびレーザ光源装置２２によって出射されたレーザ光を光記録ディスクの記録面に収束させる対物レンズ３１を含む光学系３０と、装置フレーム１１に搭載されて対物レンズ３１の位置をサーボ制御するための対物レンズ駆動機構４０と、レーザ光源装置２１、レーザ光源装置２２、モニタ用受光素子２３、信号検出用受光素子２４および対物レンズ駆動機構４０などに電気的に接続されたフレキシブル回路基板５０とを備えている。
【００２４】
装置フレーム１１は、光記録ディスクを駆動する図示していないディスク駆動装置のガイド軸や送りねじ軸が係合する軸受１１ａおよび軸受１１ｂと、金属カバー１２の位置決め用の突起１１ｃと、金属カバー１２を留めるための爪１１ｄとを備えている。
【００２５】
金属カバー１２は、装置フレーム１１の突起１１ｃに嵌まる穴部１２ａと、装置フレーム１１の爪１１ｄに係合する溝部１２ｂとを備えている。
【００２６】
金属カバー１３は、対物レンズ３１から出射されるレーザ光を通過させる穴部１３ａを有しており、対物レンズ駆動機構４０を覆っている。
【００２７】
レーザ光源装置２１、レーザ光源装置２２およびモニタ用受光素子２３は、装置フレーム１１に搭載されており、金属カバー１２によって覆われている。
【００２８】
光学系３０は、レーザ光源装置２１から出射されたレーザ光を透過しレーザ光源装置２２から出射されたレーザ光を反射する光路合成用の偏光プリズム３２と、レーザ光源装置２１および偏光プリズム３２の間に配置されて１／２波長板が一体に構成された回折素子３３と、レーザ光源装置２２および偏光プリズム３２の間に配置された回折素子３４およびリレーレンズ３５と、モニタ用受光素子２３および偏光プリズム３２の間に配置されて偏光プリズム３２から出射されたレーザ光を部分反射するビームスプリッタとしてのハーフミラー３６と、偏光プリズム３２から出射されてハーフミラー３６によって反射されたレーザ光に１／４波長の位相差を生じさせる１／４波長板３７と、１／４波長板３７を透過したレーザ光を平行光にするコリメートレンズ３８と、コリメートレンズ３８によって平行光にされたレーザ光を光記録ディスクに向けて立ち上げる立ち上げミラー３９と、光記録ディスクからの戻り光に対して非点収差を発生させるセンサーレンズ６１とを含んでいる。
【００２９】
偏光プリズム３２、回折素子３３、回折素子３４、リレーレンズ３５、ハーフミラー３６、１／４波長板３７、コリメートレンズ３８、立ち上げミラー３９およびセンサーレンズ６１は、装置フレーム１１に搭載されている。偏光プリズム３２、回折素子３３、回折素子３４、リレーレンズ３５、ハーフミラー３６および１／４波長板３７は、金属カバー１２によって覆われている。コリメートレンズ３８および立ち上げミラー３９は、対物レンズ駆動機構４０によって覆われている。
【００３０】
フレキシブル回路基板５０は、レーザ光源装置２１と電気的に接続される図示していない端部と、レーザ光源装置２２と電気的に接続される端部５０ｂと、モニタ用受光素子２３と電気的に接続される端部５０ｃと、信号検出用受光素子２４と電気的に接続される端部５０ｄと、対物レンズ駆動機構４０と電気的に接続される図示していない端部とを備えており、部分的に折り曲げられて立体的に装置フレーム１１に搭載されて金属カバー１２によって覆われている。
【００３１】
図４（ａ）、（ｂ）は、それぞれモニタ用受光素子２３の正面図、側面図である。
【００３２】
図４に示すように、モニタ用受光素子２３は、基板２３ａと、基板２３ａに搭載されたシリコンチップ２３ｄ上の受光部２３ｃと、受光部２３ｃの直上部２３ｅおよびその周囲２３ｆを保護する透光性の保護層２３ｂとを有しており、光記録ディスクに到達する前のレーザ光からハーフミラー３６（図３参照。）によって分離されたレーザ光をレーザ光源装置２１（図３参照。）およびレーザ光源装置２２（図３参照。）のフィードバック制御のために受光部２３ｃの正面から検出するようになっている。なお、本実施の形態において、保護層２３ｂは、半透明であり、その表面が平面になるように基板２３ａの正面側に形成されている。
【００３３】
図５は、モニタ用受光素子２３が搭載された装置フレーム１１の斜視図であって、装置フレーム１１の上面側かつモニタ用受光素子２３の正面側から見た図である。図６は、モニタ用受光素子２３が搭載された装置フレーム１１の斜視図であって、装置フレーム１１の上面側かつモニタ用受光素子２３の背面側から見た図である。図７は、モニタ用受光素子２３が搭載される前の装置フレーム１１の斜視図であって、装置フレーム１１の上面側から見た図である。図８は、モニタ用受光素子２３が搭載される前の装置フレーム１１の斜視図であって、装置フレーム１１の底面側から見た図である。図９は、装置フレーム１１に搭載されたモニタ用受光素子２３の正面図である。
【００３４】
図５〜図９に示すように、装置フレーム１１の壁部１１ｅは、光記録ディスクに到達する前のレーザ光からハーフミラー３６（図３参照。）によって分離されたレーザ光をモニタ用受光素子２３の受光部２３ｃに通すレーザ光用孔１１ｆが形成されている。従って、壁部１１ｅは、このレーザ光用孔１１ｆ以外の部分でモニタ用受光素子２３の受光部２３ｃの直上部２３ｅを除いた保護層２３ｂの正面側を遮蔽する遮蔽部材として機能し、保護層２３ｂのうち受光部２３ｃの直上部２３ｅを除く周囲２３ｆが遮蔽されている。具体的には、図９においてモニタ用受光素子２３の受光部２３ｃを中央としたときの受光部２３ｃの近傍を除く外周側であって、受光部２３ｃに対して左右両側と上側の一部を遮蔽することにより、保護層２３ｂのうち受光部２３ｃの直上部２３ｅおよびその近傍を除く周囲２３ｆが遮蔽されている。本形態において、壁部１１ｅによって遮蔽される領域が受光部２３ｃの近傍を除くように構成されているので、装置フレーム１１の壁部１１ｅに形成されたレーザ光用孔１１ｆの形成位置に誤差があっても壁部１１ｅによって受光部２３ｃが遮蔽されることがない。なお、本形態の場合、保護層２３ｂの略３割が壁部１１ｅによって遮蔽されるようになっている。
【００３５】
また、壁部１１ｅは、レーザ光用孔１１ｆに対して金属カバー１２（図１参照。）側に配置されてモニタ用受光素子２３の側面と当接することによって装置フレーム１１の厚み方向におけるレーザ光用孔１１ｆに対するモニタ用受光素子２３の受光部２３ｃの位置決めを行う位置決め部１１ｇと、レーザ光用孔１１ｆに対して装置フレーム１１の厚み方向とは直交する方向の両側に配置されてモニタ用受光素子２３の側面と当接することによって装置フレーム１１の厚み方向とは直交する方向におけるレーザ光用孔１１ｆに対するモニタ用受光素子２３の受光部２３ｃの位置決めを行う位置決め部１１ｈ、１１ｉとを有している。モニタ用受光素子２３は、装置フレーム１１の位置決め部１１ｇ、１１ｈ、１１ｉで装置フレーム１１に接着剤によって固定されている。
【００３６】
次に、光ヘッド装置１０の動作について説明する。
【００３７】
図３に示すように、レーザ光源装置２１から出射されたレーザ光は、偏光プリズム３２を透過してハーフミラー３６に入射する。ハーフミラー３６に入射したレーザ光の一部は、ハーフミラー３６を透過してモニタ用受光素子２３に検出され、レーザ光源装置２１から出射されるレーザ光の光量の制御に使用される。ハーフミラー３６に入射したレーザ光の一部は、ハーフミラー３６によって反射されて、１／４波長板３７、コリメートレンズ３８を透過して立ち上げミラー３９によって立ち上げられて、対物レンズ３１を透過して、光記録ディスクの記録面に到達する。
【００３８】
同様に、レーザ光源装置２２から出射されたレーザ光は、偏光プリズム３２で反射されてハーフミラー３６に入射する。ハーフミラー３６に入射したレーザ光の一部は、ハーフミラー３６を透過してモニタ用受光素子２３に検出され、レーザ光源装置２２から出射されるレーザ光の光量の制御に使用される。ハーフミラー３６に入射したレーザ光の一部は、ハーフミラー３６によって反射されて、１／４波長板３７、コリメートレンズ３８を透過して立ち上げミラー３９によって立ち上げられて、対物レンズ３１を透過して、光記録ディスクの記録面に到達する。
【００３９】
更に、光記録ディスクの記録面に記録された情報を再生する場合には、光記録ディスクの記録面に到達したレーザ光は、記録面で反射されて戻り光となる。戻り光は、対物レンズ３１を透過して、立ち上げミラー３９によって反射されて、コリメートレンズ３８、１／４波長板３７、ハーフミラー３６、センサーレンズ６１を透過した後、信号検出用受光素子２４に検出される。
【００４０】
以上に説明したように、光ヘッド装置１０は、モニタ用受光素子２３の受光部２３ｃに入射する可能性がある不要な光がモニタ用受光素子２３の受光部２３ｃに入射することを装置フレーム１１の壁部１１ｅによって抑制することができるので、レーザ光源装置２１およびレーザ光源装置２２に対するフィードバック制御を従来より適切に行うことができる。
【００４１】
具体的には、モニタ用受光素子２３の受光部２３ｃに入射する可能性がある不要な光は、信号検出用受光素子２４によって反射されてセンサーレンズ６１を透過してハーフミラー３６によって反射されたレーザ光が主である。本実施の形態では、上記不要な光のモニタ用受光素子２３の受光部２３ｃへの入射が、装置フレーム１１の壁部１１ｅによって遮蔽されている。故に、壁部１１ｅによって遮蔽された分は、モニタ用受光素子２３の保護層２３ｂに入射した不要な光が受光部２３ｃに入射することを抑制することができる。その結果、レーザ光源装置２１およびレーザ光源装置２２に対するフィードバック制御をより適切に行うことができる。
【００４２】
ここで、信号検出用受光素子２４が、光ディスクによって反射されたレーザ光を最大に検出することができる状態に対して傾けられ、信号検出用受光素子２４によって反射されてセンサーレンズ６１を透過してハーフミラー３６によって反射された不要な光の光軸が装置フレーム１１の壁部１１ｅによって遮蔽されていることがより好ましい。本実施の形態の場合、信号検出用受光素子２４は、光ディスクによって反射されたレーザ光を最大に検出することができる状態、すなわち、光ディスクによって反射されたレーザ光の光軸に対し受光部が垂直に配置された状態から４°傾けられており、その結果、ハーフミラー３６によって反射された不要な光の光軸が装置フレーム１１の壁部１１ｅによって遮蔽されている。このように構成することにより、ハーフミラー３６によって反射された不要な光のモニタ用受光素子２３上での光量を抑制することができるので、レーザ光源装置２１およびレーザ光源装置２２に対するフィードバック制御を確実に行うことができる。このように、ハーフミラー３６によって反射された不要な光の光軸が装置フレーム１１の壁部１１ｅによって遮蔽されている場合の効果には及ばないが、ハーフミラー３６によって反射された不要な光の光軸が、モニタ用受光素子２３の受光部２３ｃから外れているように構成してもよい。
【００４３】
なお、本実施の形態では、モニタ用受光素子２３の保護層２３ｂが半透明で形成されており、このように半透明で形成されている場合、保護層２３ｂに入射した不要な光の乱反射が増大する。故に、保護層２３ｂを経由して、受光部２３ｃに入射する不要な光が増大してしまう。しかしながら、光ヘッド装置１０は、装置フレーム１１の壁部１１ｅによってモニタ用受光素子２３の保護層２３ｂを遮蔽されている。すなわち、図９において保護層２３ｂのうち受光部２３ｃに対して左右両側と上側の一部を遮蔽することにより、保護層２３ｂの直上部２３ｅを除く周囲２３ｆが遮蔽されている。故に、壁部１１ｅによって遮蔽された分は、モニタ用受光素子２３の保護層２３ｂに入射した不要な光が受光部２３ｃに入射することを抑制することができる。
【００４４】
装置フレーム１１の壁部１１ｅは、本実施の形態において、ハーフミラー３６によって反射されたレーザ光を遮蔽する位置に配置されているが、ハーフミラー３６を透過したレーザ光を遮蔽する構造であっても良い。
【図面の簡単な説明】
【００４５】
【図１】本発明の一実施の形態に係る光ヘッド装置の斜視図である。
【図２】図１に示す光ヘッド装置の分解斜視図である。
【図３】図１に示す光ヘッド装置の斜視図であって、一部の部品が取り除かれた状態での図である。
【図４】（ａ）図１に示す光ヘッド装置のモニタ用受光素子の正面図である。  （ｂ）図１に示す光ヘッド装置のモニタ用受光素子の側面図である。
【図５】図１に示す光ヘッド装置のモニタ用受光素子が搭載された装置フレームの斜視図であって、装置フレームの上面側かつモニタ用受光素子の正面側から見た図である。
【図６】図１に示す光ヘッド装置のモニタ用受光素子が搭載された装置フレームの斜視図であって、装置フレームの上面側かつモニタ用受光素子の背面側から見た図である。
【図７】図１に示す光ヘッド装置のモニタ用受光素子が搭載される前の装置フレームの斜視図であって、装置フレームの上面側から見た図である。
【図８】図１に示す光ヘッド装置のモニタ用受光素子が搭載される前の装置フレームの斜視図であって、装置フレームの底面側から見た図である。
【図９】図１に示す光ヘッド装置のモニタ用受光素子に搭載されたモニタ用受光素子の正面図である。
【符号の説明】
【００４６】
１０  光ヘッド装置
１１  装置フレーム
１１ｅ  壁部（遮蔽部材）
１１ｆ  レーザ光用孔
２１  レーザ光源装置（レーザ光源）
２２  レーザ光源装置（レーザ光源）
２３  モニタ用受光素子（フロントモニタ）
２３ｂ  保護層
２３ｃ  受光部
２４  信号検出用受光素子（光検出器）
３６  ハーフミラー（ビームスプリッタ）
【図１】
2009199693.tif 000003
【図２】
2009199693.tif 000004
【図３】
2009199693.tif 000005
【図４】
2009199693.tif 000006
【図５】
2009199693.tif 000007
【図６】
2009199693.tif 000008
【図７】
2009199693.tif 000009
【図８】
2009199693.tif 000010
【図９】
2009199693.tif 000011